(57)【要約】【課題】電動パワーステアリング装置を安定して作動させる。【解決手段】車両に設けられる熱源の周辺に配置される電動パワーステアリング装置１００，２００は、車輪１を転舵するラックシャフト３０と、ラックシャフト３０のラックギヤ４１ｂと噛み合うピニオンギヤ４１ａが設けられる出力シャフト２２と、出力シャフト２２に設けられるウォームホイール４２ｂと、ウォームホイール４２ｂと噛み合うウォームシャフト４２ａと、ウォームシャフト４２ａを回転駆動する電動モータ５０と、電動モータ５０の駆動を制御するコントローラ６０と、を備え、コントローラ６０の少なくとも一部は、ラックシャフト３０が収容されるラックハウジング３４を挟んで熱源とは反対側に配置される。【選択図】図２
2020111240.tif 000002
【特許請求の範囲】
【請求項１】
車両に設けられる熱源の周辺に配置される電動パワーステアリング装置であって、
車輪を転舵するラックシャフトと、
前記ラックシャフトのラックギヤと噛み合うピニオンギヤが設けられるピニオンシャフトと、
前記ピニオンシャフトに設けられるウォームホイールと、
前記ウォームホイールと噛み合うウォームシャフトと、
前記ウォームシャフトを回転駆動する電動モータと、
前記電動モータの駆動を制御する制御部と、を備え、
前記制御部の少なくとも一部は、前記ラックシャフトが収容されるラックハウジングを挟んで前記熱源とは反対側に配置されることを特徴とする電動パワーステアリング装置。
【請求項２】
前記制御部は、前記制御部の熱を放出するヒートシンクを有し、
前記制御部は、前記ヒートシンクの少なくとも一部が前記ラックハウジングを挟んで前記熱源とは反対側に位置するように配置されることを特徴とする請求項１に記載の電動パワーステアリング装置。
【請求項３】
前記制御部の少なくとも一部は、前記ラックハウジングに加えて前記電動モータを挟んで前記熱源とは反対側に配置されることを特徴とする請求項１または２に記載の電動パワーステアリング装置。
【請求項４】
前記制御部は、前記電動モータに隣接して配置され、
前記ウォームシャフトの軸中心である第２軸心を前記ピニオンシャフトの軸中心である第１軸心を含み前記第２軸心に平行な第１平面に投影した第１投影軸心と、前記第１軸心と、が成す角度を第１角度とし、
前記第２軸心を前記第１軸心に直交する第２平面に投影した第２投影軸心と、前記ラックシャフトの軸中心である第３軸心を前記第２平面に投影した第３投影軸心と、が成す角度を第２角度とした場合、
前記第１角度及び前記第２角度の大きさは、前記制御部の少なくとも一部が、前記ラックハウジングを挟んで前記熱源とは反対側に配置されるように設定されることを特徴とする請求項１から３の何れか１つに記載の電動パワーステアリング装置。
【発明の詳細な説明】
【技術分野】
【０００１】
本発明は、電動パワーステアリング装置に関するものである。
【背景技術】
【０００２】
特許文献１には、比較的車幅が狭い全地形対応車（ATV : All Terrain Vehicle）に組み付けられた電動パワーステアリング装置が開示されている。
【先行技術文献】
【特許文献】
【０００３】
【特許文献１】特開２００６−２３２０５９号公報
【発明の概要】
【発明が解決しようとする課題】
【０００４】
特許文献１に記載される電動パワーステアリング装置は、車両の前後方向において、ラジエータの後方に配置されている。このため、電動パワーステアリング装置は、ラジエータから放出された熱により加熱されることとなる。電動パワーステアリング装置は、モータを駆動するコントローラを有するため、ラジエータから放出された熱によってコントローラが加熱されると、モータの出力が制限され、結果として、電動パワーステアリング装置の作動が不安定になるおそれがある。
【０００５】
本発明は、上記の問題点に鑑みてなされたものであり、電動パワーステアリング装置を安定して作動させることを目的とする。
【課題を解決するための手段】
【０００６】
本発明は、車両に設けられる熱源の周辺に配置される電動パワーステアリング装置が、車輪を転舵するラックシャフトと、ラックシャフトのラックギヤと噛み合うピニオンギヤが設けられるピニオンシャフトと、ピニオンシャフトに設けられるウォームホイールと、ウォームホイールと噛み合うウォームシャフトと、ウォームシャフトを回転駆動する電動モータと、電動モータの駆動を制御する制御部と、を備え、制御部の少なくとも一部が、ラックシャフトが収容されるラックハウジングを挟んで熱源とは反対側に配置されることを特徴とする。
【０００７】
本発明では、制御部の少なくとも一部が、ラックシャフトを収容するラックハウジングを挟んで熱源とは反対側に配置される。このように、ラックハウジングを熱遮蔽部材として利用することによって、熱源から放出された熱によって制御部が加熱されることを抑制することが可能である。したがって、電動パワーステアリング装置の周辺に熱源が配置される場合であっても、熱源から放出される輻射熱によって制御部の温度が上昇することが抑制される。
【０００８】
本発明は、制御部が、制御部の熱を放出するヒートシンクを有し、制御部が、ヒートシンクの少なくとも一部がラックハウジングを挟んで熱源とは反対側に位置するように配置されることを特徴とする。
【０００９】
本発明では、ヒートシンクの少なくとも一部がラックハウジングを挟んで熱源とは反対側に位置するように制御部が配置される。このため、熱源から放出された熱がヒートシンクを介して制御部の内部へ移動し制御部の温度が上昇してしまうことが抑制される。したがって、電動パワーステアリング装置の周辺に熱源が配置される場合であっても、熱源から放出される輻射熱によって制御部の温度が上昇することが抑制されるため、結果として、電動パワーステアリング装置を安定して作動させることができる。
【００１０】
本発明は、制御部の少なくとも一部が、ラックハウジングに加えて電動モータを挟んで熱源とは反対側に配置されることを特徴とする。
【００１１】
本発明では、制御部の少なくとも一部が、ラックハウジングに加えて電動モータを挟んで熱源とは反対側に配置される。このように、制御部と熱源との間にラックハウジングに加えて電動モータを配置させることによって、ラックハウジングを熱遮蔽部材として利用するとともに、制御部を熱源から比較的離れた位置に配置させることが可能となる。したがって、電動パワーステアリング装置の周辺に熱源が配置される場合であっても、熱源から放出される輻射熱によって制御部の温度が上昇することが抑制されるため、結果として、電動パワーステアリング装置を安定して作動させることができる。
【００１２】
本発明は、制御部が、電動モータに隣接して配置され、ウォームシャフトの軸中心である第２軸心をピニオンシャフトの軸中心である第１軸心を含み第２軸心に平行な第１平面に投影した第１投影軸心と、第１軸心と、が成す角度を第１角度とし、第２軸心を第１軸心に直交する第２平面に投影した第２投影軸心と、ラックシャフトの軸中心である第３軸心を第２平面に投影した第３投影軸心と、が成す角度を第２角度とした場合、第１角度及び第２角度の大きさは、制御部の少なくとも一部が、ラックハウジングを挟んで熱源とは反対側に配置されるように設定されることを特徴とする。
【００１３】
本発明では、第１角度及び第２角度の大きさを変更することによって、ラックハウジングに対する制御部の位置を適宜変更することが可能である。このため、熱源とラックハウジングとがどのような位置関係にある場合であっても、第１角度及び第２角度の大きさを変更することで制御部の少なくとも一部を、ラックハウジングを挟んで熱源とは反対側に配置させることが可能である。したがって、熱源が電動パワーステアリング装置に対してどのような位置に配置される場合であっても、熱源から放出される輻射熱によって制御部の温度が上昇することが抑制されるため、結果として、電動パワーステアリング装置を安定して作動させることができる。
【発明の効果】
【００１４】
本発明によれば、電動パワーステアリング装置を安定して作動させることができる。
【図面の簡単な説明】
【００１５】
【図１】図１は、本発明の第１実施形態に係る電動パワーステアリング装置の構成図である。
【図２】図２は、本発明の第１実施形態に係る電動パワーステアリング装置が車両に組み付けられた状態を車両の側方から見た図である。
【図３】図３は、本発明の第１実施形態に係る電動パワーステアリング装置が車両に組み付けられた状態を車両の上方から見た図である。
【図４】図４は、第１平面に投影された第１軸心と第２軸心との関係を示した模式図である。
【図５】図５は、第２平面に投影された第２軸心と第３軸心との関係を示した模式図である。
【図６】図６は、本発明の第２実施形態に係る電動パワーステアリング装置が車両に組み付けられた状態を車両の側方から見た図である。
【図７】図７は、本発明の第２実施形態に係る電動パワーステアリング装置が車両に組み付けられた状態を車両の上方から見た図である。
【図８】図８は、第１平面に投影された第１軸心と第２軸心との関係を示した模式図である。
【図９】図９は、第２平面に投影された第２軸心と第３軸心との関係を示した模式図である。
【発明を実施するための形態】
【００１６】
以下、図面を参照して、本発明の実施形態について説明する。
【００１７】
＜第１実施形態＞
図１から図３を参照して、本発明の第１実施形態に係る電動パワーステアリング装置１００について説明する。電動パワーステアリング装置１００は、車両に搭載され、運転者がステアリングホイール１０に加える操舵トルクを変換して車輪１を転舵するステアリング装置に対して、操舵力を補助する装置である。
【００１８】
以下では、電動パワーステアリング装置１００が組み付けられる車両が、比較的車幅が狭い全地形対応車（ATV : All Terrain Vehicle）や多用途四輪車（SSV : Side by Side Vehicle）である場合について説明する。図１は、電動パワーステアリング装置１００の構成図であり、図２は、車両に組み付けられた電動パワーステアリング装置１００を車両の側方から見た図であり、図３は、電動パワーステアリング装置１００を車両の上方から見た図である。
【００１９】
図１に示すように、電動パワーステアリング装置１００は、ステアリングホイール１０に連結されるステアリングシャフト２０と、ステアリングシャフト２０の回転に伴って車輪１を転舵するラックシャフト３０と、を備える。ラックシャフト３０は、タイロッド３１及びナックルアーム３２を介して車輪１に連結されており、車輪１は、ラックシャフト３０の変位によって転舵される。
【００２０】
ステアリングシャフト２０は、運転者がステアリングホイール１０を操作するステアリング操作に伴って回転する入力シャフト２１と、ラックシャフト３０を変位させるピニオンシャフトとしての出力シャフト２２と、入力シャフト２１と出力シャフト２２とを連結するトーションバー２３と、により構成される。
【００２１】
出力シャフト２２とラックシャフト３０とは、第１伝達部４１を介して互いに連結されている。第１伝達部４１は、出力シャフト２２の端部に設けられるピニオンギヤ４１ａと、ラックシャフト３０に設けられるラックギヤ４１ｂと、からなる。ピニオンギヤ４１ａとラックギヤ４１ｂとは互いに噛み合っており、出力シャフト２２のトルクは、ピニオンギヤ４１ａ及びラックギヤ４１ｂを介してラックシャフト３０の軸方向の荷重に変換されてラックシャフト３０に伝達される。これにより、ラックシャフト３０は、伝達されるトルクによりその軸方向に変位し、車輪１を転舵する。
【００２２】
また、電動パワーステアリング装置１００は、ステアリング操作に応じて駆動される電動モータ５０と、トーションバー２３に作用するトルクを検出するトルクセンサ５１と、トルクセンサ５１の検出値に応じて電動モータ５０の駆動を制御するコントローラ６０と、を更に備える。電動モータ５０の出力軸は、第２伝達部４２を介してステアリングシャフト２０の出力シャフト２２に連結されている。
【００２３】
第２伝達部４２は、電動モータ５０の出力軸に設けられるウォームシャフト４２ａと、出力シャフト２２に設けられるウォームホイール４２ｂと、からなる。ウォームシャフト４２ａとウォームホイール４２ｂとは互いに噛み合っており、電動モータ５０のトルクは、ウォームシャフト４２ａ及びウォームホイール４２ｂを介して出力シャフト２２に伝達される。電動モータ５０から出力シャフト２２に伝達されたトルクは、ピニオンギヤ４１ａ及びラックギヤ４１ｂを介してラックシャフト３０に更に伝達される。
【００２４】
コントローラ６０は、演算処理を行うＣＰＵ（Ｃｅｎｔｒａｌ  Ｐｒｏｃｅｓｓｉｎｇ  Ｕｎｉｔ）と、ＣＰＵにより実行される制御プログラム等を記憶するＲＯＭ（Ｒｅａｄ−Ｏｎｌｙ  Ｍｅｍｏｒｙ）と、ＣＰＵの演算結果等を記憶するＲＡＭ（ｒａｎｄｏｍ  ａｃｃｅｓｓ  ｍｅｍｏｒｙ）と、を含むマイクロコンピュータで構成される。コントローラ６０は、単一のマイクロコンピュータで構成されていてもよいし、複数のマイクロコンピュータで構成されていてもよい。コントローラ６０は、電動モータ５０に隣接して配置されており、例えば、図２及び図３に示すように、電動モータ５０を挟んでウォームシャフト４２ａとは反対側に設けられる。
【００２５】
また、図２及び図３に示すように、コントローラ６０には、内部の熱を放出するためにヒートシンク６２が、電動モータ５０とは反対側に設けられる。ヒートシンク６２は、コントローラ６０内の素子で発生した熱を外部へと効率的に放出するため、アルミニウム等の熱伝導性に優れた金属材料によって凹凸状に形成される。このようにコントローラ６０にヒートシンク６２を設けることで、コントローラ６０の温度上昇が抑制されるため、電動モータ５０を安定して駆動させることが可能となる。
【００２６】
トルクセンサ５１は、運転者によるステアリング操作に伴って入力シャフト２１に付与される操舵トルクを検出し、検出した操舵トルクに対応する電圧信号をコントローラ６０に出力する。コントローラ６０は、トルクセンサ５１からの電圧信号に基づいて、電動モータ５０が出力するトルクを演算し、そのトルクが発生するように電動モータ５０の駆動を制御する。
【００２７】
このように、電動パワーステアリング装置１００は、入力シャフト２１に付与される操舵トルクをトルクセンサ５１にて検出し、その検出結果に基づいて電動モータ５０の駆動をコントローラ６０にて制御して運転者のステアリング操作をアシストする。
【００２８】
また、電動パワーステアリング装置１００は、図２及び図３に示すように、ラックシャフト３０を収容するラックハウジング３４と、ウォームホイール４２ｂを収容するウォームハウジング４４と、をさらに備える。電動パワーステアリング装置１００は、車両フレーム３から延びる図示しないブラケットにラックハウジング３４が固定されることによって車両フレーム３に取り付けられる。
【００２９】
ラックハウジング３４内には、出力シャフト２２に設けられるピニオンギヤ４１ａがさらに収容される。また、ラックハウジング３４には、ラックシャフト３０とタイロッド３１との連結部を覆うブーツ３５が組み付けられる。
【００３０】
ウォームハウジング４４内には、ウォームホイール４２ｂが設けられる出力シャフト２２と、ウォームホイール４２ｂと噛み合うウォームシャフト４２ａと、がさらに収容される。また、ウォームハウジング４４には、ウォームシャフト４２ａを駆動する電動モータ５０が組み付けられる。
【００３１】
また、ウォームハウジング４４は、図２及び図３に示すように、電動パワーステアリング装置１００が車両に組み付けられた状態において、ラックハウジング３４の鉛直方向上方に配置される。このように、ウォームハウジング４４がラックハウジング３４の鉛直方向上方に配置されるため、全地形対応車のように、ある程度の水深がある河川等を走行するような場合であっても、ウォームハウジング４４がラックハウジング３４の鉛直方向下方に配置される場合と比較し、ウォームハウジング４４内に水が侵入することを防止することができるとともに、ウォームハウジング４４に組み付けられる電動モータ５０に水が侵入することを防止することができる。
【００３２】
ここで、全地形対応車のように比較的車幅が狭い車両では、車両を構成する装置を配置するスペースが限られるため、例えば、図２に示すように、電動パワーステアリング装置１００の近傍には、図示しないエンジンの冷却水を冷却するためのラジエータ５が配置される。このように、電動パワーステアリング装置１００の前方に熱源となるラジエータ５が配置されていると、図示しないラジエータファンが回転しているときや車両が走行しているとき、電動パワーステアリング装置１００は、ラジエータ５から放出された熱により加熱されることとなる。
【００３３】
特に、電動パワーステアリング装置１００のコントローラ６０は、温度が上昇すると回路保護のために電動モータ５０の駆動力を制限するといった機能制限を実行する。このため、コントローラ６０がラジエータ５から放出された熱により加熱されてしまうと、電動モータ５０の作動が制限され、結果として、電動パワーステアリング装置１００を安定して作動させることが困難となる。
【００３４】
そこで、第１実施形態では、電動パワーステアリング装置１００の周辺にラジエータ５のような熱源が配置された場合であっても、ラジエータ５から放出される熱によってコントローラ６０の温度が上昇しないように、コントローラ６０の少なくとも一部を、ラックシャフト３０を収容するラックハウジング３４を挟んで熱源となるラジエータ５とは反対側に配置している。換言すれば、ラジエータ５側から電動パワーステアリング装置１００を水平方向に見た場合、コントローラ６０の少なくとも一部は、ラックハウジング３４と重なり合って見えない状態となっている。
【００３５】
このように、ラジエータ５とコントローラ６０との間にラックハウジング３４を配置することで、ラックハウジング３４は、ラジエータ５及びラジエータファンからの熱風がコントローラ６０へ直接当たることを遮る熱遮蔽部材として機能することになる。
【００３６】
また、ラジエータ５から放出された熱がヒートシンク６２を介してコントローラ６０の内部へ移動しないように、ヒートシンク６２もラックハウジング３４を挟んでラジエータ５とは反対側に配置されている。
【００３７】
この場合もラックハウジング３４は、ラジエータ５及びラジエータファンからの熱風がヒートシンク６２へ直接当たることを遮る熱遮蔽部材として機能することになる。
【００３８】
このように、ラックハウジング３４を熱遮蔽部材として用いることによって、ラジエータ５から放出された熱によってコントローラ６０やヒートシンク６２が加熱されることを抑制することが可能である。したがって、電動パワーステアリング装置１００の周辺にラジエータ５のような熱源が配置される場合であっても、熱源から放出される輻射熱によってコントローラ６０の温度が上昇することが抑制されるため、結果として、電動パワーステアリング装置１００を常に安定して作動させることができる。
【００３９】
次に、図２から図５を参照して、コントローラ６０やヒートシンク６２を、ラックハウジング３４を挟んでラジエータ５とは反対側に配置可能とするための構成について説明する。図４は、出力シャフト２２の軸中心である第１軸心Ｃ１を含みウォームシャフト４２ａの軸中心である第２軸心Ｃ２に平行な第１平面Ｐ１に投影された第１軸心Ｃ１と第２軸心Ｃ２との関係を図２の矢印Ａで示される方向から見た模式図であり、図５は、第１軸心Ｃ１に直交する第２平面Ｐ２に投影された第２軸心Ｃ２とラックシャフト３０の軸中心である第３軸心Ｃ３との関係を図３の矢印Ｂで示される方向から見た模式図である。
【００４０】
図４に示すように、出力シャフト２２の第１軸心Ｃ１と、ウォームシャフト４２ａの第２軸心Ｃ２が第１平面Ｐ１に投影された第１投影軸心ＣＰ１と、の間には、所定の第１角度α１が形成される。
【００４１】
第２軸心Ｃ２上には電動モータ５０とともにコントローラ６０が配置されるため、第１角度α１を９０度よりも小さくすると、コントローラ６０は第１軸心Ｃ１上に配置されるピニオンギヤ４１ａに近づいた状態、すなわち、コントローラ６０がラックハウジング３４に近づいた状態となる。一方、第１角度α１を９０度よりも大きくすると、コントローラ６０はラックハウジング３４から離れた状態となる。なお、第１角度α１を９０度とすると、出力シャフト２２とウォームシャフト４２ａとは直交した状態となる。
【００４２】
また、図５に示すように、ウォームシャフト４２ａの第２軸心Ｃ２が第２平面Ｐ２に投影された第２投影軸心ＣＰ２と、ラックシャフト３０の第３軸心Ｃ３が第２平面Ｐ２に投影された第３投影軸心ＣＰ３と、の間には、所定の第２角度α２が形成される。
【００４３】
第２軸心Ｃ２上にはコントローラ６０が配置されるため、第２角度α２を０度よりも大きくすると、コントローラ６０はラックシャフト３０に近づいた状態、すなわち、コントローラ６０がラックハウジング３４に近づいた状態となる。一方、第２角度α２を０度よりも小さくすると、コントローラ６０はラックハウジング３４から離れた状態となる。なお、第２角度α２を０度にすると、第２投影軸心ＣＰ２と第３投影軸心ＣＰ３とは、平行になる。
【００４４】
ここで、ラジエータ５及びラジエータファンからの熱風がコントローラ６０やヒートシンク６２に直接当たらないようにするには、ラジエータ５側から見て、コントローラ６０及びヒートシンク６２が可能な限りラックハウジング３４に隠れるようにコントローラ６０及びヒートシンク６２を配置することが好ましい。
【００４５】
このようにラジエータ５側から見て、ラックハウジング３４に隠れるようにコントローラ６０及びヒートシンク６２を配置するには、第２角度α２を０度または０度よりもわずかに小さく設定するとともに、第１角度α１を９０度よりも小さく設定し、コントローラ６０やヒートシンク６２を、ラックハウジング３４を挟んでラジエータ５とは反対側に配置すればよい。
【００４６】
なお、第１角度α１を小さくし過ぎるとラックハウジング３４よりも鉛直方向下方にコントローラ６０が配置されてしまうため、ラジエータ５の位置によっては、ラジエータ５からの熱風がコントローラ６０に直接当たってしまうおそれがある。このため、第１角度α１の大きさは、ラジエータ５とラックハウジング３４との位置関係に応じて適宜設定される。
【００４７】
このように、第１角度α１及び第２角度α２の大きさ、すなわち、出力シャフト２２とウォームシャフト４２ａとラックシャフト３０との位置関係を、ラジエータ５とラックハウジング３４との位置関係に応じて設定することで、ラジエータ５からコントローラ６０やヒートシンク６２に向かう熱風をラックハウジング３４によって遮ることが可能である。このため、コントローラ６０の温度が上昇してしまうことを抑制することができる。
【００４８】
また、ラックハウジング３４を熱遮蔽部材として利用することによって、ラジエータ５からの熱風がコントローラ６０やヒートシンク６２に当たることを抑制する部材を電動パワーステアリング装置１００に別途設ける必要がない。このため、電動パワーステアリング装置１００の製造コストを増加させなくともコントローラ６０の温度上昇を抑制することが可能である。
【００４９】
また、図２及び図３に示すように、ウォームシャフト４２ａの第２軸心Ｃ２とラックシャフト３０の第３軸心Ｃ３とが略平行となるように、第１角度α１及び第２角度α２の大きさを設定することで、電動パワーステアリング装置１００をコンパクト化することが可能である。このため、電動パワーステアリング装置１００の周辺に他の装置が配置されている場合であっても、ラジエータ５からの熱風がコントローラ６０やヒートシンク６２に直接当たらないようにすることができる。
【００５０】
なお、コントローラ６０は、厳密に第２軸心Ｃ２上に配置されている必要はなく、第１角度α１が変更されることで電動モータ５０とともにラックハウジング３４に対する位置が変わるように配置されていればよい。また、第１角度α１は、図４に示される位置の角度に限定されず、第１平面Ｐ１上において第１軸心Ｃ１と第１投影軸心ＣＰ１とにより形成される角度であれば、他の位置の角度であってもよい。同様に、第２角度α２は、図５に示される位置の角度に限定されず、第２平面Ｐ２上において第２投影軸心ＣＰ２と第３投影軸心ＣＰ３とにより形成される角度であれば、他の位置の角度であってもよい。
【００５１】
以上の第１実施形態によれば以下の効果を奏する。
【００５２】
電動パワーステアリング装置１００では、コントローラ６０の少なくとも一部が、ラックシャフト３０を収容するラックハウジング３４を挟んで熱源となるラジエータ５とは反対側に配置される。このように、ラックハウジング３４を熱遮蔽部材として利用することによって、ラジエータ５から放出された熱によってコントローラ６０やヒートシンク６２が加熱されることを抑制することが可能である。したがって、電動パワーステアリング装置１００の周辺にラジエータ５のような熱源が配置される場合であっても、熱源から放出される輻射熱によってコントローラ６０の温度が上昇することが抑制されるため、結果として、電動パワーステアリング装置１００を常に安定して作動させることができる。
【００５３】
＜第２実施形態＞
次に、図６から図９を参照して、本発明の第２実施形態に係る電動パワーステアリング装置２００について説明する。以下では、第１実施形態と異なる点を中心に説明し、第１実施形態と同様の構成には、同一の符号を付し説明を省略する。図６は、車両に組み付けられた電動パワーステアリング装置２００を車両の側方から見た図であり、図７は、電動パワーステアリング装置２００を車両の上方から見た図である。
【００５４】
電動パワーステアリング装置２００の基本的な構成は、第１実施形態に係る電動パワーステアリング装置１００と同様である。電動パワーステアリング装置２００では、コントローラ６０が、ラックハウジング３４に加えて電動モータ５０を挟んでラジエータ５とは反対側に配置される点で電動パワーステアリング装置１００と相違する。
【００５５】
第２実施形態では、図６及び図７に示すように、電動パワーステアリング装置２００の周辺にラジエータ５のような熱源が配置された場合であっても、ラジエータ５から放出される熱によってコントローラ６０の温度が上昇しないように、コントローラ６０を、ラックシャフト３０を収容するラックハウジング３４及び電動モータ５０を挟んで熱源となるラジエータ５とは反対側に配置している。
【００５６】
このように、ラジエータ５とコントローラ６０との間にラックハウジング３４を配置することで、ラックハウジング３４は、上記第１実施形態と同様に、ラジエータ５及びラジエータファンからの熱風がコントローラ６０へ直接当たることを遮る熱遮蔽部材として機能することになる。さらに、ラジエータ５とコントローラ６０との間に電動モータ５０を配置することで、コントローラ６０は、上記第１実施形態と比べて、ラジエータ５から離れた位置に配置されることになる。このため、コントローラ６０は、ラジエータ５から放出される熱によって加熱されにくくなる。
【００５７】
また、ラジエータ５から放出された熱がヒートシンク６２を介してコントローラ６０の内部へ移動しないように、ヒートシンク６２もラックハウジング３４及び電動モータ５０を挟んでラジエータ５とは反対側に配置される。
【００５８】
この場合もラックハウジング３４は、ラジエータ５及びラジエータファンからの熱風がヒートシンク６２へ直接当たることを遮る熱遮蔽部材として機能することになる。さらに、ヒートシンク６２は、上記第１実施形態と比べて、ラジエータ５から離れた位置に配置されることになる。このため、ヒートシンク６２は、ラジエータ５から放出される熱によって加熱されにくくなる。
【００５９】
このように、ラックハウジング３４を熱遮蔽部材として利用するとともに、コントローラ６０及びヒートシンク６２をラジエータ５から離れた位置に配置することによって、ラジエータ５から放出された熱によってコントローラ６０やヒートシンク６２が加熱されることを抑制することが可能である。
【００６０】
したがって、電動パワーステアリング装置２００の周辺にラジエータ５のような熱源が配置される場合であっても、熱源から放出される輻射熱によってコントローラ６０の温度が上昇することが抑制されるため、結果として、電動パワーステアリング装置２００を常に安定して作動させることができる。
【００６１】
次に、図６から図９を参照して、コントローラ６０やヒートシンク６２を、ラックハウジング３４及び電動モータ５０を挟んでラジエータ５とは反対側に配置可能とするための構成について説明する。図８は、出力シャフト２２の軸中心である第１軸心Ｃ１を含みウォームシャフト４２ａの軸中心である第２軸心Ｃ２に平行な第１平面Ｐ１に投影された第１軸心Ｃ１と第２軸心Ｃ２との関係を図７の矢印Ｃで示される方向から見た模式図であり、図９は、第１軸心Ｃ１に直交する第２平面Ｐ２に投影された第２軸心Ｃ２とラックシャフト３０の軸中心である第３軸心Ｃ３との関係を図７の矢印Ｄで示される方向から見た模式図である。
【００６２】
図８に示すように、出力シャフト２２の第１軸心Ｃ１と、ウォームシャフト４２ａの第２軸心Ｃ２が第１平面Ｐ１に投影された第１投影軸心ＣＰ１と、の間には、所定の第１角度α１が形成される。
【００６３】
第２軸心Ｃ２上には電動モータ５０とともにコントローラ６０が配置されるため、第１角度α１を９０度よりも小さくすると、コントローラ６０は第１軸心Ｃ１上に配置されるピニオンギヤ４１ａに近づいた状態、すなわち、コントローラ６０がラックハウジング３４に近づいた状態となる。一方、第１角度α１を９０度よりも大きくすると、コントローラ６０はラックハウジング３４から離れた状態となる。なお、第１角度α１を９０度とすると、出力シャフト２２とウォームシャフト４２ａとは直交した状態となる。
【００６４】
また、図９に示すように、ウォームシャフト４２ａの第２軸心Ｃ２が第２平面Ｐ２に投影された第２投影軸心ＣＰ２と、ラックシャフト３０の第３軸心Ｃ３が第２平面Ｐ２に投影された第３投影軸心ＣＰ３と、の間には、所定の第２角度α２が形成される。
【００６５】
第２軸心Ｃ２上にはコントローラ６０が配置されるため、第２角度α２を９０度にすると、コントローラ６０とラックシャフト３０との間に電動モータ５０が位置することでコントローラ６０はラックシャフト３０から最も離れた状態、すなわち、コントローラ６０がラックハウジング３４から最も離れた状態となる。
【００６６】
一方、第２角度α２を９０度よりも小さくまたは９０度よりも大きくすると、コントローラ６０はラックハウジング３４に近づいた状態となる。なお、第２角度α２を０度にすると、第２投影軸心ＣＰ２と第３投影軸心ＣＰ３とは、平行になる。
【００６７】
ここで、ラジエータ５からの熱風がコントローラ６０やヒートシンク６２に直接当たらないようにするには、ラジエータ５側から見て、コントローラ６０及びヒートシンク６２が可能な限りラックハウジング３４に隠れるようにコントローラ６０及びヒートシンク６２を配置するとともに、コントローラ６０及びヒートシンク６２をラジエータ５から離すことが好ましい。
【００６８】
このようにラジエータ５側から見て、ラックハウジング３４に隠れるようにコントローラ６０及びヒートシンク６２を配置しつつ、コントローラ６０及びヒートシンク６２をラジエータ５から離すには、第２角度α２を９０度または９０度近傍に設定するとともに、第１角度α１を９０度前後に設定し、コントローラ６０やヒートシンク６２を、ラックハウジング３４及び電動モータ５０を挟んでラジエータ５とは反対側に配置すればよい。
【００６９】
なお、第１角度α１を小さくし過ぎるとラックハウジング３４よりも鉛直方向下方にコントローラ６０が配置されてしまうため、ラジエータ５の位置によっては、ラジエータ５からの熱風がコントローラ６０に直接当たってしまうおそれがある。このため、第１角度α１の大きさは、ラジエータ５とラックハウジング３４との位置関係に応じて適宜設定される。
【００７０】
このように、第１角度α１及び第２角度α２の大きさ、すなわち、出力シャフト２２とウォームシャフト４２ａとラックシャフト３０との位置関係を、ラジエータ５とラックハウジング３４との位置関係に応じて設定することで、ラジエータ５からコントローラ６０やヒートシンク６２に向かう熱風をラックハウジング３４によって遮ることが可能である。このため、コントローラ６０の温度が上昇してしまうことを抑制することができる。
【００７１】
特に、図６及び図７に示すように、コントローラ６０及びヒートシンク６２とラジエータ５との間にラックハウジング３４及び電動モータ５０が配置され、コントローラ６０及びヒートシンク６２がラジエータ５から比較的離れた位置に配置されるように、第１角度α１及び第２角度α２の大きさを設定することで、ラジエータ５から放出される熱がコントローラ６０やヒートシンク６２に影響を及ぼさないようにすることができる。
【００７２】
なお、第１角度α１は、図８に示される位置の角度に限定されず、第１平面Ｐ１上において第１軸心Ｃ１と第１投影軸心ＣＰ１とにより形成される角度であれば、他の位置の角度であってもよい。同様に、第２角度α２は、図９に示される位置の角度に限定されず、第２平面Ｐ２上において第２投影軸心ＣＰ２と第３投影軸心ＣＰ３とにより形成される角度であれば、他の位置の角度であってもよい。
【００７３】
以上の第２実施形態によれば以下の効果を奏する。
【００７４】
電動パワーステアリング装置２００では、コントローラ６０が、ラックシャフト３０を収容するラックハウジング３４に加えて電動モータ５０を挟んで熱源となるラジエータ５とは反対側に配置される。このように、ラックハウジング３４を熱遮蔽部材として利用するとともに、コントローラ６０をラジエータ５から比較的離れた位置に配置することによって、ラジエータ５から放出された熱によってコントローラ６０やヒートシンク６２が加熱されることを抑制することが可能である。したがって、電動パワーステアリング装置２００の周辺にラジエータ５のような熱源が配置される場合であっても、熱源から放出される輻射熱によってコントローラ６０の温度が上昇することが抑制されるため、結果として、電動パワーステアリング装置２００を常に安定して作動させることができる。
【００７５】
次に、上記各実施形態の変形例について説明する。以下に示すような変形例も本発明の範囲内であり、変形例に示される構成と上述の実施形態で説明した構成を組み合わせたり、以下の異なる変形例で説明する構成同士を組み合わせたりすることも可能である。
【００７６】
上記各実施形態では、ウォームハウジング４４は、ラックハウジング３４の鉛直方向上方に配置される。これに代えて、ウォームハウジング４４は、ラックハウジング３４の鉛直方向下方に配置されてもよい。これにより、ラックハウジング３４の鉛直方向下方のスペースを有効利用することができる。なお、この場合であっても、第１角度α１及び第２角度α２の大きさを適宜設定することで、コントローラ６０やヒートシンク６２を、ラックハウジング３４を挟んでラジエータ５とは反対側に配置することが可能である。
【００７７】
また、上記各実施形態では、コントローラ６０が電動モータ５０を挟んでウォームシャフト４２ａとは反対側に設けられる。これに代えて、コントローラ６０は、電動モータ５０の周辺に配置されていれば、電動モータ５０とウォームシャフト４２ａとの間に配置されてもよいし、電動モータ５０の外周面に組み付けられていてもよい。
【００７８】
また、上記各実施形態では、ヒートシンク６２は、コントローラ６０を挟んで電動モータ５０とは反対側に設けられる。これに代えて、ヒートシンク６２は、コントローラ６０内の素子で発生した熱を外部へと放出可能であれば、コントローラ６０に対してどのように設けられていてもよく、例えば、コントローラ６０の外周面に設けられ、径方向外側に突出するように形成されてもよい。
【００７９】
また、上記各実施形態では、熱源がラジエータ５である場合について説明したが、熱源としては、ラジエータ５に限定されず、エンジン本体やエンジンから排出される排気ガスが流れる排気管であってもよい。また、上記各実施形態では、熱源が電動パワーステアリング装置１００，２００の前方に配置されている場合について説明したが、熱源は、電動パワーステアリング装置１００，２００の後方や上方、下方に配置されていてもよい。熱源が電動パワーステアリング装置１００，２００の上方に配置されている場合は、ウォームハウジング４４をラックハウジング３４の鉛直方向下方に配置し、コントローラ６０及び電動モータ５０を熱源から遠ざけることが好ましい。
【００８０】
また、上記各実施形態では、操舵ハンドルは、ステアリングホイール１０である。これに代えて、操舵ハンドルは、例えば、バーハンドルや操縦桿等その他の形態のものであってもよい。
【００８１】
以下、本発明の実施形態の構成、作用、及び効果をまとめて説明する。
【００８２】
車両に設けられるラジエータ５の周辺に配置される電動パワーステアリング装置１００，２００は、車輪１を転舵するラックシャフト３０と、ラックシャフト３０のラックギヤ４１ｂと噛み合うピニオンギヤ４１ａが設けられるピニオンシャフトとしての出力シャフト２２と、出力シャフト２２に設けられるウォームホイール４２ｂと、ウォームホイール４２ｂと噛み合うウォームシャフト４２ａと、ウォームシャフト４２ａを回転駆動する電動モータ５０と、電動モータ５０の駆動を制御するコントローラ６０と、を備え、コントローラ６０の少なくとも一部は、ラックシャフト３０が収容されるラックハウジング３４を挟んでラジエータ５とは反対側に配置される。
【００８３】
この構成では、コントローラ６０の少なくとも一部が、ラックシャフト３０を収容するラックハウジング３４を挟んで熱源となるラジエータ５とは反対側に配置される。このように、ラックハウジング３４を熱遮蔽部材として利用することによって、ラジエータ５から放出された熱によってコントローラ６０やヒートシンク６２が加熱されることを抑制することが可能である。したがって、電動パワーステアリング装置１００，２００の周辺にラジエータ５のような熱源が配置される場合であっても、熱源から放出される輻射熱によってコントローラ６０の温度が上昇することが抑制されるため、結果として、電動パワーステアリング装置１００，２００を常に安定して作動させることができる。
【００８４】
また、この構成では、ラックハウジング３４が熱遮蔽部材として利用されるため、ラジエータ５からの熱風がコントローラ６０やヒートシンク６２に当たることを抑制する部材を電動パワーステアリング装置１００，２００に別途設ける必要がない。このため、電動パワーステアリング装置１００，２００の製造コストを増加させなくともコントローラ６０の温度上昇を抑制することが可能である。
【００８５】
また、コントローラ６０は、コントローラ６０の熱を放出するヒートシンク６２を有し、コントローラ６０は、ヒートシンク６２の少なくとも一部がラックハウジング３４を挟んでラジエータ５とは反対側に位置するように配置される。
【００８６】
この構成では、ヒートシンク６２の少なくとも一部がラックハウジング３４を挟んでラジエータ５とは反対側に位置するようにコントローラ６０が配置される。このため、ラジエータ５から放出された熱がヒートシンク６２を介してコントローラ６０の内部へ移動しコントローラ６０の温度が上昇してしまうことが抑制される。したがって、電動パワーステアリング装置１００，２００の周辺にラジエータ５のような熱源が配置される場合であっても、熱源から放出される輻射熱によってコントローラ６０の温度が上昇することが抑制されるため、結果として、電動パワーステアリング装置１００，２００を常に安定して作動させることができる。
【００８７】
また、コントローラ６０の少なくとも一部は、ラックハウジング３４に加えて電動モータ５０を挟んでラジエータ５とは反対側に配置される。
【００８８】
この構成では、コントローラ６０の少なくとも一部が、ラックハウジング３４に加えて電動モータ５０を挟んでラジエータ５とは反対側に配置される。このように、コントローラ６０とラジエータ５との間にラックハウジング３４に加えて電動モータ５０を配置させることによって、ラックハウジング３４を熱遮蔽部材として利用するとともに、コントローラ６０をラジエータ５から比較的離れた位置に配置させることが可能となる。したがって、電動パワーステアリング装置２００の周辺にラジエータ５のような熱源が配置される場合であっても、熱源から放出される輻射熱によってコントローラ６０の温度が上昇することが抑制されるため、結果として、電動パワーステアリング装置２００を常に安定して作動させることができる。
【００８９】
また、コントローラ６０は、電動モータ５０に隣接して配置され、ウォームシャフト４２ａの軸中心である第２軸心Ｃ２を出力シャフト２２の軸中心である第１軸心Ｃ１を含み第２軸心Ｃ２に平行な第１平面Ｐ１に投影した第１投影軸心ＣＰ１と、第１軸心Ｃ１と、が成す角度を第１角度α１とし、第２軸心Ｃ２を第１軸心Ｃ１に直交する第２平面Ｐ２に投影した第２投影軸心ＣＰ２と、ラックシャフト３０の軸中心である第３軸心Ｃ３を第２平面Ｐ２に投影した第３投影軸心ＣＰ３と、が成す角度を第２角度α２とした場合、第１角度α１及び第２角度α２の大きさは、コントローラ６０の少なくとも一部が、ラックハウジング３４を挟んでラジエータ５とは反対側に配置されるように設定される。
【００９０】
この構成では、第１角度α１及び第２角度α２の大きさを変更することによって、ラックハウジング３４に対するコントローラ６０の位置を適宜変更することが可能である。このため、ラジエータ５とラックハウジング３４とがどのような位置関係にある場合であっても、第１角度α１及び第２角度α２の大きさを変更することでコントローラ６０の少なくとも一部を、ラックハウジング３４を挟んでラジエータ５とは反対側に配置させることが可能である。したがって、ラジエータ５のような熱源が電動パワーステアリング装置１００，２００に対してどのような位置に配置される場合であっても、熱源から放出される輻射熱によってコントローラ６０の温度が上昇することが抑制されるため、結果として、電動パワーステアリング装置１００，２００を常に安定して作動させることができる。
【００９１】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００９２】
１００，２００・・・電動パワーステアリング装置、５・・・ラジエータ（熱源）、２２・・・出力シャフト（ピニオンシャフト）、３０・・・ラックシャフト、３４・・・ラックハウジング、４１ａ・・・ピニオンギヤ、４１ｂ・・・ラックギヤ、４２ａ・・・ウォームシャフト、４２ｂ・・・ウォームホイール、４４・・・ウォームハウジング、５０・・・電動モータ、６０・・・コントローラ（制御部）、６２・・・ヒートシンク、Ｃ１・・・第１軸心、Ｃ２・・・第２軸心、Ｃ３・・・第３軸心、Ｐ１・・・第１平面、Ｐ２・・・第２平面、Ｐ３・・・第３平面、ＣＰ１・・・第１投影軸心、ＣＰ２・・・第２投影軸心、ＣＰ３・・・第３投影軸心、α１・・・第１角度、α２・・・第２角度
【図１】
2020111240.tif 000003
【図２】
2020111240.tif 000004
【図３】
2020111240.tif 000005
【図４】
2020111240.tif 000006
【図５】
2020111240.tif 000007
【図６】
2020111240.tif 000008
【図７】
2020111240.tif 000009
【図８】
2020111240.tif 000010
【図９】
2020111240.tif 000011